(57)【要約】  第１の伝送方式と該第１の伝送方式より品質が劣る第２の伝送方式とを動的に切り替えて通信をする送受信装置を有する無線通信システムであって、前記送受信装置は、通信する際の伝送方式を、所定の期間、前記第１の伝送方式に固定する伝送方式決定手段を有する。
2009091028.tif 000002
【特許請求の範囲】
【請求項１】
第１の伝送方式と該第１の伝送方式より品質が劣る第２の伝送方式とを動的に切り替えて通信をする送受信装置を有する無線通信システムであって、
前記送受信装置は、通信する際の伝送方式を、所定の期間、前記第１の伝送方式に固定する伝送方式決定手段を有することを特徴とする無線通信システム。
【請求項２】
前記送受信装置は、制御データとユーザデータを通信し、通信する際、最初に制御データを通信する送受信装置であって、
さらに、制御データとユーザデータとを判定するデータ判定手段を有し、
前記伝送方式決定手段は、前記データ判定手段の判定結果に基づき通信する際の伝送方式を、最初の制御データの通信開始から所定の制御データ又はユーザデータの通信完了まで、前記第１の伝送方式に固定することを特徴とする請求項１に記載の無線通信システム。
【請求項３】
前記送受信装置は、制御データとユーザデータを通信し、通信する際、最初に制御データ、次に最初のユーザデータを通信する送受信装置であって、
さらに、制御データとユーザデータとを判定するデータ判定手段を有し、
前記伝送方式決定手段は、前記データ判定手段の判定結果に基づき通信する際の伝送方式を、最初のユーザデータの通信開始から所定の制御データ又はユーザデータの通信完了まで、前記第１の伝送方式に固定することを特徴とする請求項１に記載の無線通信システム。
【請求項４】
前記伝送方式決定手段は、通信データを所定の単位で数え、通信する際の伝送方式を、通信開始から前記数えた通信データの数が所定の数に達するまで前記第１の伝送方式に固定することを特徴とする請求項１に記載の無線通信システム。
【請求項５】
前記送受信装置は、制御データとユーザデータを通信し、通信する際、最初に制御データ、次に最初のユーザデータを通信する送受信装置であって、
さらに、制御データとユーザデータとを判定するデータ判定手段を有し、
前記伝送方式決定手段は、通信データを所定の単位で数え、通信する際の伝送方式を、前記データ判定手段が判定した最初のユーザデータの通信開始から前記数えた通信データの数が所定の数に達するまで、前記第１の伝送方式に固定することを特徴とする請求項１に記載の無線通信システム。
【請求項６】
さらに、所定の時間が経過したか否かを判定する時間判定手段を有し、
前記伝送方式決定手段は、通信する際の伝送方式を、通信開始から前記時間判定手段が判定した所定の時間が経過するまで、前記第１の伝送方式に固定することを特徴とする請求項１に記載の無線通信システム。
【請求項７】
前記送受信装置は、制御データとユーザデータを通信し、通信する際、最初に制御データ、次に最初のユーザデータを通信する送受信装置であって、
さらに、所定の時間が経過したか否かを判定する時間判定手段と、
制御データとユーザデータとを判定するデータ判定手段とを有し、
前記伝送方式決定手段は、通信する際の伝送方式を、前記データ判定手段が判定した最初のユーザデータの通信開始から前記時間判定手段が判定した所定の時間が経過するまで、前記第１の伝送方式に固定することを特徴とする請求項１に記載の無線通信システム。
【請求項８】
前記送受信装置は、複数アンテナを有し、多入力多出力技術を利用することを特徴とする請求項１乃至７のいずれか１の項に記載の無線通信システム。
【請求項９】
前記送受信装置は、一方が複数の移動局装置と通信する基地局装置であり、他方が該移動局装置であることを特徴とする請求項１乃至８のいずれか１の項に記載の無線通信システム。
【請求項１０】
複数の送信アンテナを有する第一の送受信装置から第二の送受信装置へ空間ダイバーシチび空間多重を含む複数の伝送方式に動的に切替えて送信する通信システムであって、
第一の送受信装置は通信開始後空間ダイバーシチで送信し、
伝送方式を変更するときは、変更する伝送方式を示す伝送方式情報を第二の送受信装置に送信した後、伝送方式を変更し、
第二の送受信装置は通信開始後空間ダイバーシチで受信し、
前記伝送方式情報を受信後は前記伝送方式情報に従って伝送方式を変更することを特徴とする無線通信システム。
【請求項１１】
複数の送信アンテナを有する第一の送受信装置から第二の送受信装置へ空間ダイバーシチ及び空間多重を含む複数の伝送方式に動的に切替えて送信する通信システムであって、
第一の送受信装置は通信開始後、所定の制御データの通信完了まで空間ダイバーシチで送信し、
伝送方式を変更するときは、変更する伝送方式を示す伝送方式情報を第二の送受信装置に送信した後、伝送方式を変更し、
第二の送受信装置は前記所定の制御データの通信完了までは空間ダイバーシチで受信し、
前記伝送方式情報を受信後は前記伝送方式情報に従って伝送方式を変更することを特徴とする無線通信システム。
【請求項１２】
前記通信開始は一時的に通信が遮断されその後通信を再開する場合を含むことを特徴とする請求項１０または１１に記載の無線通信システム。
【請求項１３】
第１の伝送方式と該第１の伝送方式より品質が劣る第２の伝送方式とを動的に切り替えて受信をする受信装置であって、
受信する際の伝送方式を、所定の期間、前記第１の伝送方式に固定する伝送方式決定手段を有する受信装置。
【請求項１４】
複数の送信アンテナを有する基地局装置から移動局装置へ空間ダイバーシチ及び空間多重を含む複数の伝送方式に動的に切替えて送信する通信システムにおける移動局装置であって、
通信開始後、空間ダイバーシチで受信し、変更する伝送方式を示す伝送方式情報を前記基地局装置から受信後は前記伝送方式情報に従って伝送方式を変更することを特徴とする移動局装置。
【請求項１５】
複数の送信アンテナを有する基地局装置から移動局装置へ空間ダイバーシチ及び空間多重を含む複数の伝送方式に動的に切替えて送信する通信システムにおける移動局装置であって、
通信開始後、前記所定の制御データの通信完了までは空間ダイバーシチで受信し、変更する伝送方式を示す伝送方式情報を前記基地局装置から受信後は前記伝送方式情報に従って伝送方式を変更することを特徴とする移動局装置。
【請求項１６】
前記通信開始は一時的に通信が遮断されその後通信を再開する場合を含むことを特徴とする請求項１４または１５に記載の移動局装置。
【請求項１７】
第１の伝送方式と該第１の伝送方式より品質が劣る第２の伝送方式とを動的に切り替えて送信をする送信装置であって、
送信する際の伝送方式を、所定の期間、前記第１の伝送方式に固定する伝送方式決定手段を有する送信装置。
【請求項１８】
移動局装置へ空間ダイバーシチ及び空間多重を含む複数の伝送方式に動的に切替えて送信する複数の送信アンテナを有する基地局装置であって、
通信開始後空間ダイバーシチで送信し、伝送方式を変更するときは、変更する伝送方式を示す伝送方式情報を移動局装置に送信した後、伝送方式を変更することを特徴とする基地局装置。
【請求項１９】
移動局装置へ空間ダイバーシチ及び空間多重を含む複数の伝送方式に動的に切替えて送信する複数の送信アンテナを有する基地局装置であって、
通信開始後、所定の制御データの通信完了まで空間ダイバーシチで送信し、伝送方式を変更するときは、変更する伝送方式を示す伝送方式情報を移動局装置に送信した後、伝送方式を変更することを特徴とする基地局装置。
【請求項２０】
前記通信開始は一時的に通信が遮断されその後通信を再開する場合を含むことを特徴とする請求項１６または１７に記載の基地局装置。
【請求項２１】
第１の伝送方式と該第１の伝送方式より品質が劣る第２の伝送方式とを動的に切り替えて通信をする送受信装置の制御方法であって、
通信する際の伝送方式を、所定の期間、前記第１の伝送方式に固定する過程を有する送受信装置制御方法。
【請求項２２】
第１の伝送方式と該第１の伝送方式より品質が劣る第２の伝送方式とを動的に切り替えて通信をする送受信装置のコンピュータに、
通信する際の伝送方式を、所定の期間、前記第１の伝送方式に固定する手段を実行させる送受信装置制御プログラム。
【発明の詳細な説明】
【技術分野】
【０００１】
本発明は、無線通信システム、受信装置、移動局装置、送信装置、基地局装置、送受信装置制御方法、及び送受信装置制御プログラムに関する。
本願は、２００８年０１月１８日に、日本に出願された特願２００８−００９４５１号に基づき優先権を主張し、その内容をここに援用する。
【背景技術】
【０００２】
近年、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続）方式をはじめとする第３世代移動体通信システム（３Ｇ）が世界的に普及してきている。また、さらなる高速通信を実現するために次世代の移動体通信システムの検討が行われている。次世代の移動体通信システムとして、下りの通信速度が１００Ｍｂｐｓ〜１Ｇｂｐｓとなる第４世代移動体通信システム（４Ｇ）が検討されている。【０００３】
しかし、３Ｇと４Ｇとではシステム構成に大きな違いがある。そこで、３Ｇと４Ｇとの技術的、時間的なギャップを埋め、４Ｇへのスムーズな移行を実現するために、３Ｇと同一の周波数を使用し、４Ｇの候補となっている新技術を導入して、下りの通信速度が１００Ｍｂｐｓ程度を実現するＥ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）が３ＧＰＰ（３ｒｄ  Ｇｅｎｅｒａｔｉｏｎ  Ｐａｒｔｎｅｒｓｈｉｐ  Ｐｒｏｊｅｃｔ：第3世代パートナーシッププロジェクト）で活発に議論されている。【０００４】
次世代の移動体通信システムであるＥ−ＵＴＲＡでは、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数多元接続）方式が下りリンクとして採用されている。また、Ｅ−ＵＴＲＡでは、複数の変調方式（Ｍｏｄｕｌａｔｉｏｎ  ｒａｔｅ）や符号化率（Ｃｏｄｉｎｇ  ｒａｔｅ）を適応的に変更するようなＡＭＣ（Ａｄａｐｔｉｖｅ  Ｍｏｄｕｌａｔｉｏｎ  ａｎｄ  Ｃｏｄｉｎｇ：適応変調符号化）という技術が採用されている。さらに、Ｅ−ＵＴＲＡでは、送信側と受信側との双方に複数のアンテナを設け、これら複数のアンテナを使用して、データの送受信を行うＭＩＭＯ（Ｍｕｌｔｉｐｌｅ  Ｉｎｐｕｔ  Ｍｕｌｔｉｐｌｅ  Ｏｕｔｐｕｔ：多入力多出力）伝送方式が採用されている。
ＭＩＭＯ伝送方式については、空間多重（Ｓｐａｔｉａｌ  ｍｕｌｔｉｐｌｅｘｉｎｇ：ＳＭ）、ビームフォーミング（Ｂｅａｍ  ｆｏｒｍｉｎｇ：ＢＦ）、及び空間ダイバーシチ（Ｓｉｎｇｌｅ−ｓｔｒｅａｍ  ｔｒａｎｓｍｉｔ  ｄｉｖｅｒｓｉｔｙ  ｍｏｄｅ：ＳＤ）などの伝送方式が考えられており、これらの３つの伝送方式を切り替えることが提案されている（非特許文献１）。
【非特許文献１】３ＧＰＰ  Ｒ１−０６０７７４  “Ｅｖａｌｕａｔｉｏｎ ｏｆ Ｄｏｗｎｌｉｎｋ ＭＩＭＯ Ｔｒａｎｓｍｉｓｓｉｏｎ Ｍｏｄｅ Ｓｅｌｅｃｔｉｏｎ”
【非特許文献２】３ＧＰＰ ＴＳＧ−Ｒａｎ  Ｗｏｒｋｉｎｇ  Ｇｒｏｕｐ  １  Ｍｅｅｔｉｎｇ  ＃４４、 Ｒ１−０６０６４７、ＤＬ  Ａｄａｐｔｉｖｅ  ＳＴＴＤ／ＳＭ  Ｐｅｒｆｏｒｍａｎｃｅ  Ｅｖａｌｕａｔｉｏｎ  ｆｏｒ  Ｅ−ＵＴＲＡ．
【発明の開示】
【発明が解決しようとする課題】
【０００５】
しかしながら、端末装置が高速に移動している場合や、都市部などのように遮蔽物が多いような環境の場合には、伝搬路状況が激しく変動する。伝搬路状況が激しく変動する場合、伝送方式を切り替える端末装置は、非常に短い時間に得た少ない情報で通信の伝送方式を選択すると、適切な伝送方式を選択することができない。特に、通信開始直後や通信再開直後は伝送方式を選択するための情報が少なく、適切な伝送方式を選択できずに通信品質が確保できないときは、端末装置の通信は切断されてしまう。【０００６】
本発明は上記の点に鑑みてなされたものであり、その目的は、伝搬路状況が激しく変動する場合であっても、通信の切断を防止する無線通信システム、受信装置、移動局装置、送信装置、基地局装置、送受信装置制御方法、及び送受信装置制御プログラムを提供することにある。
【課題を解決するための手段】
【０００７】
（１）本発明は上記の課題を解決するためになされたものであり、第１の伝送方式と該第１の伝送方式より品質が劣る第２の伝送方式とを動的に切り替えて通信をする送受信装置を有する無線通信システムであって、前記送受信装置は、通信する際の伝送方式を、所定の期間、前記第１の伝送方式に固定する伝送方式決定手段を有することを特徴とする無線通信システムである。
本発明では、所定の期間の伝送方式を品質重視の第１の伝送方式に固定している。このため、該期間の通信は通信品質の悪い方式を誤って選択してしまうことがなく、品質重視の方式で行うので、通信の切断を防止できる。また、該期間の通信状況に基づき該期間経過後の伝送方式を適切に判断できるようになるので、該期間経過後の通信でも通信の切断を防止し、伝送容量の低下を防ぐことができる。【０００８】
（２）また、上記送受信装置は、制御データとユーザデータを通信し、通信する際、最初に制御データを通信する送受信装置であって、さらに、制御データとユーザデータとを判定するデータ判定手段を有し、前記伝送方式決定手段は、前記データ判定手段の判定結果に基づき通信する際の伝送方式を、最初の制御データの通信開始から所定の制御データ又はユーザデータの通信完了まで、前記第１の伝送方式に固定する。
本発明では、最初の制御データの通信開始から所定の制御データ又はユーザデータの通信完了までの期間の伝送方式を品質重視の第１の伝送方式に固定している。このため、該データを通信は、通信品質の悪い方式を誤って選択してしまうことがなく、品質重視の方式で行うので、通信の切断を防止できる。【０００９】
（３）また、上記送受信装置は、制御データとユーザデータを通信し、通信する際、最初に制御データ、次に最初のユーザデータを通信する送受信装置であって、さらに、制御データとユーザデータとを判定するデータ判定手段を有し、前記伝送方式決定手段は、前記データ判定手段の判定結果に基づき通信する際の伝送方式を、最初のユーザデータの通信開始から所定の制御データ又はユーザデータの通信完了まで、前記第１の伝送方式に固定する。
本発明では、最初のユーザデータの通信開始から所定の制御データ又はユーザデータの通信完了までの期間の伝送方式を品質重視の第１の伝送方式に固定している。一般的な通信において、制御データの通信は短時間で完了し、予め定めた通信開始直後の伝送方式で通信が完了するため、伝送方式を判断する必要がないことがある。このため、送受信装置は、通信開始直後に伝送方式を判断するための回路やプログラムを簡易化することができる。【００１０】
（４）また、上記伝送方式決定手段は、通信データを所定の単位で数え、通信する際の伝送方式を、通信開始から前記数えた通信データの数が所定の数に達するまで前記第１の伝送方式に固定する。【００１１】
（５）また、上記送受信装置は、制御データとユーザデータを通信し、通信する際、最初に制御データ、次に最初のユーザデータを通信する送受信装置であって、さらに、制御データとユーザデータとを判定するデータ判定手段を有し、前記伝送方式決定手段は、通信データを所定の単位で数え、通信する際の伝送方式を、前記データ判定手段が判定した最初のユーザデータの通信開始から前記数えた通信データの数が所定の数に達するまで、前記第１の伝送方式に固定する。【００１２】
（６）また、さらに、所定の時間が経過したか否かを判定する時間判定手段を有し、前記伝送方式決定手段は、通信する際の伝送方式を、通信開始から前記時間判定手段が判定した所定の時間が経過するまで、前記第１の伝送方式に固定する。
本発明では、所定の時間の伝送方式を品質重視の第１の伝送方式に固定している。このため、該時間の通信は通信品質の悪い方式を誤って選択してしまうことがなく、品質重視の方式で行うので、通信の切断を防止できる。また、該時間の通信状況に基づき該時間経過後の伝送方式を適切に判断るようになるので、該期間経過後の通信でも通信の切断を防止し、伝送容量の低下を防ぐことができる。【００１３】
（７）また、上記送受信装置は、制御データとユーザデータを通信し、通信する際、最初に制御データ、次に最初のユーザデータを通信する送受信装置であって、さらに、所定の時間が経過したか否かを判定する時間判定手段と、制御データとユーザデータとを判定するデータ判定手段とを有し、前記伝送方式決定手段は、通信する際の伝送方式を、前記データ判定手段が判定した最初のユーザデータの通信開始から前記時間判定手段が判定した所定の時間が経過するまで、前記第１の伝送方式に固定する。【００１４】
（８）また、上記送受信装置は、複数アンテナを有し、多入力多出力技術を利用する。【００１５】
（９）また、上記送受信装置は、一方が複数の移動局装置と通信する基地局装置であり、他方が該移動局装置である。【００１６】
（１０）また、本発明は、複数の送信アンテナを有する第一の送受信装置から第二の送受信装置へ空間ダイバーシチ及び空間多重を含む複数の伝送方式に動的に切替えて送信する通信システムであって、第一の送受信装置は通信開始後空間ダイバーシチで送信し、伝送方式を変更するときは、変更する伝送方式を示す伝送方式情報を第二の送受信装置に送信した後、伝送方式を変更し、第二の送受信装置は通信開始後空間ダイバーシチで受信し、前記伝送方式情報を受信後は前記伝送方式情報に従って伝送方式を変更することを特徴とする無線通信システムである。【００１７】
（１１）また、本発明は、複数の送信アンテナを有する第一の送受信装置から第二の送受信装置へ空間ダイバーシチ及び空間多重を含む複数の伝送方式に動的に切替えて送信する通信システムであって、第一の送受信装置は通信開始後、所定の制御データの通信完了まで空間ダイバーシチで送信し、伝送方式を変更するときは、変更する伝送方式を示す伝送方式情報を第二の送受信装置に送信した後、伝送方式を変更し、第二の送受信装置は前記所定の制御データの通信完了までは空間ダイバーシチで受信し、前記伝送方式情報を受信後は前記伝送方式情報に従って伝送方式を変更することを特徴とする無線通信システム。【００１８】
（１２）また、上記送受信装置は、前記通信開始は一時的に通信が遮断されその後通信を再開する場合を含む。【００１９】
（１３）また、本発明は、第１の伝送方式と該第１の伝送方式より品質が劣る第２の伝送方式とを動的に切り替えて受信をする受信装置であって、受信する際の伝送方式を、所定の期間、前記第１の伝送方式に固定する伝送方式決定手段を有する受信装置である。【００２０】
（１４）また、本発明は、複数の送信アンテナを有する基地局装置から移動局装置へ空間ダイバーシチ及び空間多重を含む複数の伝送方式に動的に切替えて送信する通信システムにおける移動局装置であって、通信開始後、空間ダイバーシチで受信し、変更する伝送方式を示す伝送方式情報を前記基地局装置から受信後は前記伝送方式情報に従って伝送方式を変更することを特徴とする移動局装置である。【００２１】
（１５）また、本発明は、複数の送信アンテナを有する基地局装置から移動局装置へ空間ダイバーシチ及び空間多重を含む複数の伝送方式に動的に切替えて送信する通信システムにおける移動局装置であって、通信開始後、前記所定の制御データの通信完了までは空間ダイバーシチで受信し、変更する伝送方式を示す伝送方式情報を前記基地局装置から受信後は前記伝送方式情報に従って伝送方式を変更することを特徴とする移動局装置である。【００２２】
（１６）また、上記移動局装置は、前記通信開始は一時的に通信が遮断されその後通信を再開する場合を含む。【００２３】
（１７）また、本発明は、第１の伝送方式と該第１の伝送方式より品質が劣る第２の伝送方式とを動的に切り替えて送信をする送信装置であって、送信する際の伝送方式を、所定の期間、前記第１の伝送方式に固定する伝送方式決定手段を有する送信装置である。【００２４】
（１８）また、本発明は、移動局装置へ空間ダイバーシチ及び空間多重を含む複数の伝送方式に動的に切替えて送信する複数の送信アンテナを有する基地局装置であって、通信開始後空間ダイバーシチで送信し、伝送方式を変更するときは、変更する伝送方式を示す伝送方式情報を移動局装置に送信した後、伝送方式を変更することを特徴とする基地局装置である。【００２５】
（１９）また、本発明は、移動局装置へ空間ダイバーシチ及び空間多重を含む複数の伝送方式に動的に切替えて送信する複数の送信アンテナを有する基地局装置であって、通信開始後、所定の制御データの通信完了まで空間ダイバーシチで送信し、伝送方式を変更するときは、変更する伝送方式を示す伝送方式情報を移動局装置に送信した後、伝送方式を変更することを特徴とする基地局装置である。【００２６】
（２０）また、上記基地局装置は、前記通信開始は一時的に通信が遮断されその後通信を再開する場合を含む。【００２７】
（２１）また、本発明は、第１の伝送方式と該第１の伝送方式より品質が劣る第２の伝送方式とを動的に切り替えて通信をする送受信装置の制御方法であって、通信する際の伝送方式を、所定の期間、前記第１の伝送方式に固定する過程を有する送受信装置制御方法である。【００２８】
（２２）また、本発明は、第１の伝送方式と該第１の伝送方式より品質が劣る第２の伝送方式とを動的に切り替えて通信をする送受信装置のコンピュータに、通信する際の伝送方式を、所定の期間、前記第１の伝送方式に固定する手段を実行させる送受信装置制御プログラムである。
【発明の効果】
【００２９】
本発明によれば、伝送方式を所定の期間、品質重視の伝送方式に固定することで、該期間の通信は通信品質の悪い方式を誤って選択してしまうことがなく、通信の切断を防止できる。また、該期間の通信状況に基づき該期間経過後の伝送方式を適切に判断るようになるので、該期間経過後の通信でも通信の切断を防止し、伝送容量の低下を防ぐことができる。
【図面の簡単な説明】
【００３０】
【図１】本発明の第１の実施形態に係る送受信装置のブロック図である。
【図２】本発明の第１の実施形態に係る送信信号の説明図である。
【図３】本発明の第１の実施形態に係る伝送方式を切り替える方法の説明図である。
【図４】本発明の第１の実施形態に係るフロー図である。
【図５】本発明の第２の実施形態に係る送受信装置のブロック図である。
【図６】本発明の第２の実施形態に係る伝送方式を切り替える方法の説明図である。
【図７】本発明の第２の実施形態に係るフロー図である。
【図８】本発明の第３の実施形態に係る送受信装置のブロック図である。
【図９】本発明の第３の実施形態に係る伝送方式を切り替える方法の説明図である。
【図１０】本発明の第３の実施形態に係るフロー図である。
【図１１】本発明の第４の実施形態に係る送受信装置のブロック図である。
【図１２】本発明の第４の実施形態に係る伝送方式を切り替える方法の説明図である。
【図１３】本発明の第４の実施形態に係るフロー図である。
【図１４】本発明の第５の実施形態に係る送受信装置のブロック図である。
【図１５】本発明の第５の実施形態に係るフロー図である。
【符号の説明】
【００３１】
１００、６００・・・第１の送受信装置
１０１・・・アンテナ部
１１１・・・送信部
１１２・・・伝送方式切替手段
１１３・・・送信データ列生成手段
１２１、６２１・・・制御部
６２２・・・伝送方式決定手段
１３１・・・受信部
１４１・・・記憶部
１３３・・・データ列分離手段
２００、３００、４００、５００、７００・・・第２の送受信装置
２０１・・・アンテナ部
２１１・・・送信部
２１３・・・送信データ列生成手段
２２１、３２１、４２１、５２１、７２１・・・制御部
２２２、３２２、４２２、５２２・・・伝送方式決定手段
２２３、３２３、４２３、５２３・・・データ判定手段
２３１・・・受信部
２３２・・・伝送方式切替手段
２３３・・・データ列分離手段
２４１・・・記憶部
【発明を実施するための最良の形態】
【００３２】
（第１の実施形態）
以下に本発明の無線通信システム、受信装置、移動局装置、送信装置、基地局装置、送受信装置制御方法、及び送受信装置制御プログラムについて、実施形態により図面を参照しながら説明する。【００３３】
本実施形態では、第１の送受信装置１００と第２の送受信装置２００は、品質重視の伝送方式である空間ダイバーシチＳＤと、空間ダイバーシチＳＤより品質が劣る伝送方式である空間多重ＳＭと、ビームフォーミングＢＦとを切替えることができる。
ここで、空間ダイバーシチＳＤとは、送信側の複数アンテナから同じデータを送信し、受信側は複数アンテナで受信する伝送方式である。伝送方式が空間ダイバーシチＳＤの場合、受信側は受信した複数データを合成して精度を高めることができる。空間多重ＳＭとは、送信側の複数アンテナから異なるデータを送信し、受信側は複数アンテナで受信する伝送方式である。また、ビームフォーミングＢＦとは、送信電波の位相を変化させ、電波の送出方向を制御することによりデータを効率的に送信する伝送方式である。
空間ダイバーシチＳＤによる伝送方式は、空間多重ＳＭ、及び、ビームフォーミングＢＦと比較して、通信の品質がよく、電波環境が悪い状況に有効になる。【００３４】
また、本実施形態では、送受信装置は伝送方式を最初の制御データの通信開始から受信完了するまで空間ダイバーシチＳＤに固定する。なお、通信開始直後の伝送方式は、空間ダイバーシチＳＤと決められているとする。【００３５】
図１は本発明の実施に適用可能な第１の送受信装置１００から第２の送受信装置２００へのデータ通信を行う無線送受信システムに係る第１の実施形態の概要を示すブロック図である。本実施形態では、基地局装置である第１の送受信装置１００、移動局装置である第２の送受信装置２００ともアンテナ部１０１、２０１のアンテナの数は２本とする。【００３６】
第１の送受信装置１００は、送信したいデータ列をアンテナ部１０１から第２の送受信装置２００のアンテナ部２０１へ空間ダイバーシチＳＤ、空間多重ＳＭ、ビームフォーミングＢＦのいずれかの伝送方式で通信する。
また、第１の送受信装置１００のアンテナ部１０１から第２の送受信装置２００のアンテナ部２０１への通信は、通信方式を多元接続の方式であるＯＦＤＭＡとする。第２の送受信装置２００のアンテナ部２０１から第１の送受信装置１００のアンテナ部１０１への通信は、通信方式をＳＣ−ＦＤＭＡ（Ｓｉｎｇｌｅ Ｃａｒｒｉｅｒ−Ｆｒｅｑｕｅｎｃｙ Ｄｉｖｉｓｉｏｎ  Ｍｕｌｔｉｐｌｅ  Ａｃｃｅｓｓ：シングルキャリア周波数分割多元接続）とする。なお、第１の送受信装置１００から第２の送受信装置２００への通信方式と、第２の送受信装置２００から第１の送受信装置１００への通信方式とは同じであっても、異なっていてもよい。通信方式は上記の通信方式に限るものではなく、ＣＤＭＡ（Ｃｏｄｅ  Ｄｉｖｉｓｉｏｎ  Ｍｕｌｔｉｐｌｅ  Ａｃｃｅｓｓ：符号分割多元接続）など他の通信方式を用いてもよい。【００３７】
まず、第１の送受信装置１００について説明をする。第１の送受信装置１００は、アンテナ部１０１と、送信部１１１と、制御部１２１と、受信部１３１と、記憶部１４１とを有する。【００３８】
アンテナ部１０１は、２本のアンテナを備え、送信部１１１から入力された信号を第２の送受信装置２００へ送信する機能と、第２の送受信装置２００から送信された信号を受信し、受信部１３１に出力する機能とを有する。
受信部１３１は、アンテナ部１０１から入力された受信信号を復調し、該復調した受信データ列よりユーザデータ、および制御データ等を分離するデータ列分離手段１３３を備え、該分離したデータ列を制御部１２１へ出力する機能を有する。【００３９】
なお、制御データとは、通信の送受信や送受信装置を制御するためのデータであり、ユーザデータとは制御データ以外のデータである。具体的には、制御データにはＬ１／Ｌ２制御データ（Ｌａｙｅｒ１／Ｌａｙｅｒ２制御データ）や所定のＯＦＤＭシンボルに割り当てられる制御チャネルのデータがあり、ユーザデータには音声データやＨＴＴＰ（ＨｙｐｅｒＴｅｘｔ  Ｔｒａｎｓｆｅｒ  Ｐｒｏｔｏｃｏｌ：ハイパーテキスト転送プロトコル）要求がある。しかし、制御データは前記データに限られない。【００４０】
制御部１２１は、受信部１３１から入力されたデータに含まれる第２の送受信装置２００が決定した伝送方式を特定し、第1の送受信装置１００が送信の際に用いる伝送方式として該伝送方式情報を送信部１１１へ出力する。ただし、制御部１２１は、記憶部１４１が記憶する所定の時間間隔である伝送周期に基づき後述する同期タイミングで、前記伝送方式を送信部１１１へ出力する。また、制御部１２１は、通信開始直後の伝送方式情報を空間ダイバーシチＳＤとする。
また、制御部１２１は、受信部１３１から入力されたユーザデータをその他第1の送受信装置１００が有する周辺回路に出力し、また、周辺回路から入力されたユーザデータと制御データを送信部１１１へ出力する。【００４１】
送信部１１１は、制御部１２１から入力された伝送方式情報に従い、伝送方式を空間多重ＳＭまたは空間ダイバーシチＳＤまたはビームフォーミングＢＦに切り替える伝送方式切替手段１１２を備える。送信部１１１は、該切り替えられた伝送方式に応じて、制御部１２１より得られる送信すべきユーザデータ、制御データ等を多重し、送信データ列を生成する送信データ列生成手段１１３を備える。
送信部１１１は、該生成した送信データ列を変調し、無線周波数にアップコンバートして、アンテナ部１０１を介し第２の送受信装置２００へ送信する機能を有する。このとき、送信データ列は、前記伝送周期毎に区切られて（以下、伝送周期データという）時系列に送信され、同じ伝送周期内の送信データは、同じ伝送方式で送信される。【００４２】
図２は、前記送信部１１１が送信した信号を示す概要図である。図２において、横軸は時間であり、通信開始後、最初の制御データを送信し、次に最初のユーザデータを送信し、その後、制御データやユーザデータを受信する。ここで、最初の制御データはＮ個の伝送周期データ、ユーザデータはＭ個の伝送周期データから構成される。【００４３】
次に、第２の送受信装置２００について説明をする。第２送送受信装置２００は、アンテナ部２０１と、送信部２１１と、制御部２２１と、受信部２３１と、記憶部２４１とを有する。【００４４】
アンテナ部２０１は、２本のアンテナを備え、第１の送受信装置１００から送信された信号を受信してベースバンド帯域にダウンコンバートし、受信部２３１に出力する機能と、送信部２１１から入力された信号を第１の送受信装置１００へ送信する機能とを有する。
受信部２３１は、制御部２２１から入力された伝送方式情報に従い伝送方式を空間ダイバーシチＳＤ、空間多重ＳＭ、ビームフォーミングＢＦのいずれかに切り替える伝送方式切替手段２３２を有し、該切り替えられた伝送方式でアンテナ部２０１から入力された受信信号を復調する。また、受信部２３１は、前記復調した受信信号の受信データ列より、ユーザデータおよび制御データ等を分離するデータ列分離手段２３３を備える。そして、受信部２３１は、該分離したデータ列を制御部２２１へ出力する機能を有する。【００４５】
具体的には、データ列分離手段２３３は、予め決められたＯＦＤＭシンボルの所定のサブキャリアに配置される制御フォーマットインディケータチャネルの情報により、制御チャネルが配置されるＯＦＤＭシンボルを特定し、該ＯＦＤＭシンボルに配置されるデータを制御データとすることで、制御データとユーザデータとを分離する。【００４６】
制御部２２１は、データ判定手段２２３と伝送方式決定手段２２２を有し、通信状況に応じて伝送方式を決定する。
データ判定手段２２３は、受信データが通信開始後の最初の制御データであるか否かを判定し、最初の制御データであれば、伝送方式を空間ダイバーシチＳＤに固定する。【００４７】
そして、伝送方式決定手段２２２は、受信データが最初の制御データでない場合、つまり、受信データにユーザデータが含まれた場合、伝送方式を空間ダイバーシチＳＤ、空間多重ＳＭ、ビームフォーミングＢＦのいずれかに決定する（以下、動的決定という）。その後、伝送方式決定手段２２２は、受信データが制御データであっても最初の制御データではないので、伝送方式を前記動的決定により決定する。【００４８】
なお、前記動的決定する方法には、例えば、ＳＮＲ（Ｓｉｇｎａｌ  ｔｏ  Ｎｏｉｓｅ  Ｒａｔｉｏ）によって判定する方法がある。具体的には、伝送方式決定手段２２２は、ＳＮＲと記憶部２４１が記憶する予め決めた所定の閾値とを比較し、ＳＮＲが所定の閾値以上であれば、伝送方式を空間多重ＳＭとし、ＳＮＲが所定の閾値より小さいならば、空間ダイバーシチＳＤとする。
しかし、前記動的決定する方法は、該方法に限定されず、チャネル行列ＨのコンディションナンバーＫＣによってチャネルモデルを推定してチャネルモデルに適した伝送方式を選択し、かつ、ＳＥ（Ｓｐｅｃｔｒａｌ  Ｅｆｆｉｃｉｅｎｃｙ）を最大とするような伝送方式に決定する方法であってもよい。具体的には、チャネル行列Ｈの特異値の最大値ｌｍａｘ（Ｈ）と最小値ｌｍｉｎ（Ｈ）とを計算し、コンディションナンバーＫＣ＝ｌｍａｘ（Ｈ）／最小値ｌｍｉｎ（Ｈ）を算出し、ＫＣ≦２のときは空間多重ＳＭに決定し、２＜ＫＣ＜２０のときは空間ダイバーシチＳＤに決定し、ＫＣ≧２０のときはビームフォーミングＢＦに決定してもよい（非特許文献２）。【００４９】
制御部２２１は、伝送方式決定手段２２２が前記固定又は決定した伝送方式情報を送信部２１１とへ出力する。また、制御部２２１は、記憶部２４１が記憶する所定の時間間隔である伝送周期に基づき後述する同期タイミングで、前記伝送方式を伝送方式切替手段２３２へ出力する。ただし、制御部２２１は、通信開始直後の伝送方式情報を空間ダイバーシチＳＤとする。
また、制御部２２１は、受信部２３１から入力されたユーザデータをその他第２の送受信装置２００が有する周辺回路に出力し、また、周辺回路から入力されたユーザデータと制御データを送信部２１１へ出力する。【００５０】
送信部２１１は、送信データ列生成手段２１３を有し、制御部２２１から入力されるユーザデータ、および制御データを多重化し、送信データ列を生成する機能を有する。そして、送信部２１１は該生成した送信データ列を変調し、アンテナ部２０１を介し第１の送受信装置１００へ送信する。なお、本実施形態において、制御部２２１から入力された伝送方式情報は、制御データとして送信されるが、これに限られない。【００５１】
以下、通信データと通信方式の関係を具体的に説明する。図３は、本実施形態の伝送方式を切り替える方法を説明する概要図である。また、図３において横軸は時間である。
図３（ａ）は、第２の送受信装置２００が第1の送受信装置１００との通信開始後、第1の送受信装置１００から、３つの伝送周期データからなる最初の制御データを受信し、次に、１つの伝送周期データからなる最初のユーザデータを受信し、その後、制御データを受信しているデータ列を示す図である。
図３（ｂ）は、第２の送受信装置２００が第1の送受信装置１００との通信開始後、第1の送受信装置１００から、１つの伝送周期データからなる最初の制御データを受信し、次に、３つの伝送周期データからなる最初のユーザデータを受信し、その後、制御データを受信しているデータ列を示す図である。
図３（ｃ）は、第２の送受信装置２００が第1の送受信装置１００との通信開始後、第1の送受信装置１００から、１つの伝送周期データからなる最初の制御データを受信し、次に、１つの伝送周期データからなる最初のユーザデータを受信し、その後、制御データとユーザデータの伝送周期データを交互に受信しているデータ列を示す図である。【００５２】
ここで、第1の送受信装置１００の記憶部１４１と第２の送受信装置２００の記憶部２４１は、三角印で示す所定の時間間隔である伝送周期を記憶する。第1の送受信装置１００の制御部１２１と第２の送受信装置２００の制御部２２１は、通信開始後、図３中の三角印で示す第1の送受信装置１００の記憶部１４１と第２の送受信装置２００の記憶部２４１が記憶する伝送周期が経過するタイミング（以下、同期タイミングという）にあわせ、それぞれ伝送方式切替手段１１２と伝送方式切替手段２３２に決定した伝送方式情報を出力する。
なお、図３では、１つの伝送周期データは、制御データ、又は、ユーザデータのみで構成されているが、本発明はこれに限らず、制御データとユーザデータとが含まれていてもよい。【００５３】
次に、伝送方式決定手段２２２が伝送方式を空間ダイバーシチＳＤに固定する範囲と、第1の送受信装置１００から第２の送受信装置２００への通信の伝送方式が空間ダイバーシチＳＤに固定される範囲について説明をする。
図３の（ａ−１）において、１番目の伝送周期データは、予め決められた通信開始直後の伝送方式である空間ダイバーシチＳＤで通信される。該伝送方式での通信は、図３の（ａ−１）の点線矢印で示された範囲である。【００５４】
１番目の伝送周期データは、制御データであり、通信開始後の最初の制御データを構成する。よって、伝送方式決定手段２２２は、伝送方式を空間ダイバーシチＳＤに固定する。該固定に基づき、２番目の伝送周期データは、伝送方式を空間ダイバーシチＳＤで通信される。
２番目の伝送周期データも制御データであり、最初の制御データである。よって、伝送方式決定手段２２２は、伝送方式を空間ダイバーシチＳＤに固定する。該固定に基づき、３番目の伝送周期データは、伝送方式を空間ダイバーシチＳＤで通信される。同様に、３番目の伝送周期データも制御データであり、最初の制御データである。よって、伝送方式決定手段２２２は、伝送方式を空間ダイバーシチＳＤに固定する。該固定に基づき、４番目の伝送周期データは、伝送方式を空間ダイバーシチＳＤで通信される。【００５５】
そして、４番目の伝送周期データはユーザデータであり、制御データではないので、最初の制御データは３番目の伝送周期データまでである。よって、伝送方式決定手段２２２は、４番目以降の伝送周期データについて伝送方式を前記動的決定により決定する。該決定に基づき、第1の送受信装置１００と第２の送受信装置２００は、次の前記同期タイミングで伝送方式を該決定された伝送方式に切り替える。【００５６】
これより、伝送方式決定手段２２２が伝送方式を空間ダイバーシチＳＤに固定する範囲は、図３の（ａ−１）の実線矢印で示された範囲である。また、第1の送受信装置１００から第２の送受信装置２００への通信の伝送方式が、空間ダイバーシチＳＤに固定される範囲は、図３の（ａ−１）の破線矢印で示された範囲である。
同様に、図３の（ｂ−１）、（ｃ−１）の場合、伝送方式決定手段２２２が伝送方式を空間ダイバーシチＳＤに固定する範囲は、実線矢印で示された範囲である。また、第1の送受信装置１００から第２の送受信装置２００への通信の伝送方式が、空間ダイバーシチＳＤに固定される範囲は、破線矢印で示された範囲である。なお、図３の（ｂ−１）、（ｃ−１）の点線矢印で示された範囲は、通信開始直後に空間ダイバーシチＳＤとされる範囲である。【００５７】
また、伝送方式決定手段２２２は、伝送周期データの数を数え、予め定めた数になるまで、伝送方式を空間ダイバーシチＳＤに決定することもできる。
図３の（ａ−３）は、前記予め定めた数が２の場合である。１番目の伝送周期データは、予め決められた通信開始直後の伝送方式である空間ダイバーシチＳＤで通信される。該伝送方式での通信は、図３の（ａ−３）の点線矢印で示された範囲である。【００５８】
伝送方式決定手段２２２は、１番目の伝送周期データが入力されると、伝送周期データの数を１とする。伝送方式決定手段２２２は、伝送周期データの数が予め定めた数２に達していないので、伝送方式を空間ダイバーシチＳＤに固定する。該固定に基づき、２番目の伝送周期データは、伝送方式を空間ダイバーシチＳＤで通信される。
伝送方式決定手段２２２は、２番目の伝送周期データが入力されると、伝送周期データの数は、２となる。伝送方式決定手段２２２は、伝送周期データの数が、予め定めた数２に達したので、以降の伝送方式を前記動的決定により決定する。該決定に基づき、第1の送受信装置１００と第２の送受信装置２００は、次の前記同期タイミングで伝送方式を該決定された伝送方式に切り替える。【００５９】
これにより、伝送方式決定手段２２２が伝送方式を空間ダイバーシチＳＤに固定する範囲は、図３の（ａ−３）の実線矢印で示された範囲である。また、第1の送受信装置１００から第２の送受信装置２００への通信の伝送方式が、空間ダイバーシチＳＤに固定される範囲は、図３の（ａ−３）の破線矢印で示された範囲である。
同様に、図３の（ａ−２）は、前記予め定めた数が１の場合である。【００６０】
なお、本実施形態では、データを数える単位を伝送周期としているが、本発明はこれに限られず、例えば、所定のデータ長であってもよいし、特定の時間長であるスロットであってもよい。【００６１】
次に動作について説明する。図４は、本実施形態の動作を示すフロー図である。
まず、第１の送受信装置１００は、通信開始直後の伝送方式である空間ダイバーシチＳＤでデータを送信する（Ｓ１０１）。【００６２】
第２の送受信装置２００は、第１の送受信装置１００より送信された信号をアンテナ部２０１で受信し、受信部２３１へ出力する（Ｓ１０２）。受信部２３１は、通信開始直後の伝送方式である空間ダイバーシチＳＤで受信した受信信号を復調し、該復調した受信データ列をユーザデータと制御データに分離し、制御部２２１へ出力する（Ｓ１０３）。【００６３】
制御部２２１は、前記受信データの種類を判定し、伝送方式を決定する。具体的には、制御部２２１のデータ判定手段２２３は、該入力されたデータが通信開始後の最初の制御データであるか否かを判定する（Ｓ１０４）。そして、伝送方式決定手段２２２は、最初の制御データである場合は、伝送方式を空間ダイバーシチＳＤに固定し（Ｓ１０５）、最初の制御データでない場合は、前記動的決定の方法を用いて伝送方式を決定する（Ｓ１０６）。
制御部２２１は、該固定又は決定した伝送方式情報を、送信部２１１に出力する。送信部２１１は、送信データ列生成手段２１３により、ステップＳ１０５で固定又Ｓ１０６で決定した伝送方式情報をデータ列として生成し、アンテナ２０１を介して、第１の送信装置１００へ送信する（Ｓ１０７）。【００６４】
次に、第１の送受信装置１００は、送信装置２００より送信された信号をアンテナ部１０１により受信し、受信部１３１へ出力する。受信部１３１は、該受信した受信信号を復調し、該復調した受信データ列をユーザデータと制御データに分離し、制御部１２１へ出力する（Ｓ１０８）。制御部１２１は、入力された制御データからステップＳ１０５で固定又Ｓ１０６で決定した伝送方式情報を特定する（Ｓ１０９）。【００６５】
制御部１２１は、記憶部１４１が記憶している伝送周期に基づいた前記同期タイミングにあわせ、前記特定したステップＳ１０５で固定又Ｓ１０６で決定した伝送方式情報を送信部１１１へ出力する。送信部１１１の伝送方式切替手段１１２は、制御部１２１から入力された前記伝送方式情報に従い、送信する伝送方式を空間多重ＳＭまたは空間ダイバーシチＳＤまたはビームフォーミングＢＦに切り替える（Ｓ１１０）。
一方、第２の送受信装置２００に含まれる制御部２２１は、記憶部２４１が記憶している伝送周期に基づいた前記同期タイミングで、受信部２３１へステップＳ１０５で固定又Ｓ１０６で決定した伝送方式情報を出力する。受信部２３１は、制御部２２１から入力された前記伝送方式情報に従い、受信する伝送方式を空間多重ＳＭまたは空間ダイバーシチＳＤまたはビームフォーミングＢＦに切り替える（Ｓ１１１）。これより第１の送受信装置１００と第２の送受信装置２００との伝送方式を統一した通信をすることが可能な状態となる。【００６６】
そして、第１の送受信装置１００が有する送信部１１１は、アンテナ１０１を介し、前記伝送方式情報の伝送方式で第２の送受信装置２００にデータを送信する（Ｓ１１２）。第２の送受信装置２００の受信部２３１は、第1の送受信装置１００からの送信信号をアンテナ２０１を介して、第１の送受信装置１００と同じ前記伝送方式で受信し、復調する（Ｓ１１３）。【００６７】
本実施形態によれば、送受信装置は、通信開始から制御データを送信するまでの間、伝送方式を品質重視の伝送方式である空間ダイバーシチＳＤに固定して通信を行う。        
これにより、送受信装置は、通信品質の悪い方式を誤って選択してしまうことがなく、該期間の通信を品質重視の方式で行うので、通信の切断を防止できる。また、該期間の通信状況に基づき該期間経過後の伝送方式を適切に判断できるようになるので、該期間経過後の通信でも通信の切断を防止し、伝送容量の低下を防ぐことができる。【００６８】
（第２の実施形態）
第１の実施形態である送受信装置は、伝送方式を最初の制御データの通信開始から受信完了するまで空間ダイバーシチＳＤに固定するが、本実施形態である送受信装置は、送受信装置は伝送方式を最初の制御データの通信開始から最初のユーザデータの受信完了するまで空間ダイバーシチＳＤに固定する。
図５は、本実施形態の第１の送受信装置１００と第２の送受信装置３００の構成を示す概略的ブロック図である。本実施形態と第１の実施形態を比較すると、制御部３２１が異なる。しかし、構成要素が持つ機能は第１の実施形態と同じであるので、第１の実施形態と同じ機能の説明は省略する。【００６９】
制御部３２１は、データ判定手段３２３と伝送方式決定手段３２２を有し、各通信状況に応じて伝送方式を決定する。
データ判定手段３２３は受信データが通信開始後の最初の制御データであるか否かを判定し、最初の制御データであれば、伝送方式決定手段３２２は伝送方式を空間ダイバーシチＳＤに固定する。そして、伝送方式決定手段３２２は、次に、受信データが最初の制御データでない場合も、つまり、受信データにユーザデータが含まれた場合も、伝送方式を空間ダイバーシチＳＤに決定する。その後、受信データとしてユーザデータが続く場合は、伝送方式を空間ダイバーシチＳＤに固定し、受信データに制御データが含まれたときは、伝送方式を前記動的決定により決定する。さらにその後は、受信データが制御データであっても最初の制御データではなく、ユーザデータであっても最初のユーザデータではないので、前記動的決定する方法で伝送方式を決定する。【００７０】
制御部３２１は、伝送方式決定手段３２２が前記決定した伝送方式情報を送信部２１１とへ出力する。また、制御部３２１は、記憶部２４１が記憶している所定の伝送周期に基づいた前記同期タイミングで、前記伝送方式を伝送方式切替手段３３２へ出力する。ただし、制御部３２１は、通信開始直後の伝送方式情報を空間ダイバーシチＳＤとする。
また、制御部３２１は、受信部２３１から入力されたユーザデータをその他第２の送受信装置３００が有する周辺回路に出力し、また、周辺回路から入力されたユーザデータと制御データを送信部２１１へ出力する。【００７１】
以下、通信データと通信方式の関係を具体的に説明する。図６は、本実施形態の伝送方式を切り替える方法を説明する概要図である。また、図６において横軸は時間である。図６（ａ）〜（ｃ）に示すデータは、図３（ａ）〜（ｃ）に示すデータと同じであるので、説明は省略する。【００７２】
伝送方式決定手段３２２が、伝送方式を空間ダイバーシチＳＤに固定する範囲と、第1の送受信装置１００から第２の送受信装置３００への通信の伝送方式が空間ダイバーシチＳＤに固定される範囲について説明をする。
図６の（ａ−１）において、１番目の伝送周期データは、予め決められた通信開始直後の伝送方式である空間ダイバーシチＳＤで通信される。該伝送方式での通信は、図３の（ａ−１）の点線矢印で示された範囲である。【００７３】
１番目の伝送周期データは、制御データであり、通信開始後の最初の制御データを構成する。よって、伝送方式決定手段３２２は、伝送方式を空間ダイバーシチＳＤに固定する。該固定に基づき、２番目の伝送周期データは、伝送方式を空間ダイバーシチＳＤで通信される。
２番目の伝送周期データも制御データであり、最初の制御データである。よって、伝送方式決定手段３２２は、伝送方式を空間ダイバーシチＳＤに固定する。該固定に基づき、３番目の伝送周期データは、伝送方式を空間ダイバーシチＳＤで通信される。同様に、３番目の伝送周期データも制御データであり、最初の制御データである。よって、伝送方式決定手段３２２は、伝送方式を空間ダイバーシチＳＤに固定する。該固定に基づき、４番目の伝送周期データは、伝送方式を空間ダイバーシチＳＤで通信される。
そして、４番目の伝送周期データはユーザデータであり、制御データではないが、４番目の伝送周期データは、通信開始後の最初のユーザデータを構成する。よって、伝送方式決定手段３２２は、伝送方式を空間ダイバーシチＳＤに固定する。該固定に基づき、５番目の伝送周期データは、伝送方式を空間ダイバーシチＳＤで通信される。【００７４】
次に、５番目の伝送周期データは制御データであり、ユーザデータではないので、最初の制御データと最初のユーザデータは、４番目の伝送周期データまでである。よって、伝送方式決定手段３２２は、５番目以降の伝送周期データについて伝送方式を前記動的決定により決定する。該決定に基づき、第1の送受信装置１００と第２の送受信装置３００は、次の前記同期タイミングで伝送方式を該決定された伝送方式に切り替える。【００７５】
これより、伝送方式決定手段３２２が伝送方式を空間ダイバーシチＳＤに固定する範囲は、図６の（ａ−１）の実線矢印で示された範囲である。また、第1の送受信装置１００から第２の送受信装置３００への通信の伝送方式が、空間ダイバーシチＳＤに固定される範囲は、図６の（ａ−１）の破線矢印で示された範囲である。
同様に、図６の（ｂ−１）、（ｃ−１）の場合、伝送方式決定手段３２２が伝送方式を空間ダイバーシチＳＤに固定する範囲は、実線矢印で示された範囲である。また、第1の送受信装置１００から第２の送受信装置３００への通信の伝送方式が、空間ダイバーシチＳＤに固定される範囲は、破線矢印で示された範囲である。なお、図６の（ｂ−１）、（ｃ−１）の点線矢印で示された範囲は、通信開始直後に空間ダイバーシチＳＤとされる範囲である。【００７６】
次に動作について説明する。図７は、本実施形態の動作を示すフロー図である。
本実施形態の動作と第１の実施形態の動作と比較すると、Ｓ２０４の判定方法が異なる。しかし、他の動作については第１の実施形態と同じであるので、第１の実施形態と同じ動作の説明は省略する。
本実施形態では、制御部３２１のデータ判定手段３２３は、該入力された通信開始後のデータが最初の制御データ、または、最初のユーザデータであるか否かを判定する（Ｓ２０４）。そして、伝送方式決定手段３２２は、最初の制御データである場合は、伝送方式を空間ダイバーシチＳＤに固定し（Ｓ１０５）、最初の制御データでない場合は、前記動的決定する方法で伝送方式を決定する（Ｓ１０６）。【００７７】
以上より、最初に制御データを通信し、次に最初のユーザデータを通信する送受信装置は、第１の実施形態のように最初の制御データのみ伝送方式を空間ダイバーシチＳＤに固定する場合に比べ、さらに最初のユーザデータを通信する期間も、伝送方式を品質重視の伝送方式である空間ダイバーシチＳＤに固定して通信を行う。
これにより、送受信装置は、第１の実施形態より長い期間の通信を品質重視の方式で行うので、さらに通信の切断を防止できる。また、前記固定して通信を行う期間の通信状況に基づき該期間経過後の伝送方式を適切に判断できるようになるので、該期間経過後の通信でも通信の切断を防止し、伝送容量の低下を防ぐことができる。【００７８】
（第３の実施形態）
第１の実施形態である送受信装置は、伝送方式を最初の制御データの通信開始から受信完了するまで空間ダイバーシチＳＤに固定するが、本実施形態である送受信装置は、伝送方式を最初のユーザデータの通信開始から受信完了するまで空間ダイバーシチＳＤに固定する。
図８は、本実施形態の第１の送受信装置１００と第２の送受信装置４００の構成を示す概略的ブロック図である。本実施形態と第１の実施形態を比較すると、制御部４２１が異なる。しかし、構成要素が持つ機能は第１の実施形態と同じであるので、第１の実施形態と同じ機能の説明は省略する。【００７９】
制御部４２１は、データ判定手段４２３と伝送方式決定手段４２２を有し、各通信状況に応じて伝送方式を決定する。
データ判定手段４２３は受信データが通信開始後の最初のユーザデータであるか否かを判定し、最初のユーザデータであれば、伝送方式決定手段４２２は伝送方式を空間ダイバーシチＳＤに固定する。そして、伝送方式決定手段４２２は、受信データが最初のユーザデータでない場合、つまり、受信データに制御データが含まれた場合、伝送方式を前記動的決定により決定する。その後は、受信データがユーザデータであっても最初のユーザデータではないので、伝送方式を前記動的決定により決定する。【００８０】
制御部４２１は、伝送方式決定手段４２２が前記決定した伝送方式情報を送信部２１１とへ出力する。また、制御部４２１は、記憶部２４１が記憶している所定の伝送周期に基づいた前記同期タイミングで、前記伝送方式を伝送方式切替手段４３２へ出力する。ただし、制御部４２１は、通信開始直後の伝送方式情報を空間ダイバーシチＳＤとする。
また、制御部４２１は、受信部２３１から入力されたユーザデータをその他第２の送受信装置４００が有する周辺回路に出力し、また、周辺回路から入力されたユーザデータと制御データを送信部２１１へ出力する。【００８１】
以下、通信データと通信方式の関係を具体的に説明する。図９は、本実施形態の伝送方式を切り替える方法を説明する概要図である。また、図９において横軸は時間である。図９（ａ）〜（ｃ）に示すデータは、図３（ａ）〜（ｃ）に示すデータと同じであるので、説明は省略する。【００８２】
伝送方式決定手段４２２が、伝送方式を空間ダイバーシチＳＤに固定する範囲と、第1の送受信装置１００から第２の送受信装置４００への通信の伝送方式が空間ダイバーシチＳＤに固定される範囲について説明をする。
図９の（ａ−１）において、１番目の伝送周期データである制御データは、予め決められた通信開始直後の伝送方式である空間ダイバーシチＳＤで通信される。該伝送方式での通信は、図３の（ａ−１）の点線矢印で示された範囲である。【００８３】
１番目から３番目の伝送周期データは制御データである。よって、伝送方式決定手段４２２は、伝送方式を前記動的決定により決定する。該決定に基づき、第1の送受信装置１００と第２の送受信装置４００は、次の前記同期タイミングで伝送方式を該決定された伝送方式に切り替える。【００８４】
そして、４番目の伝送周期データはユーザデータであり、最初のユーザデータである。よって、伝送方式決定手段４２２は、伝送方式を空間ダイバーシチＳＤに固定する。該固定に基づき、５番目の伝送周期データは、伝送方式を空間ダイバーシチＳＤで通信される。【００８５】
次に、５番目の伝送周期データは、制御データであり、ユーザデータではないので、最初のユーザデータは４番目の伝送周期データまでである。よって、伝送方式決定手段４２２は、５番目以降の伝送周期データについて伝送方式を前記動的決定により決定する。【００８６】
これより、伝送方式決定手段４２２が伝送方式を空間ダイバーシチＳＤに固定する範囲は、図９の（ａ−１）の実線矢印で示された範囲である。また、第1の送受信装置１００から第２の送受信装置４００への通信の伝送方式が、空間ダイバーシチＳＤに固定される範囲は、図９の（ａ−１）の破線矢印で示された範囲である。
同様に、図９の（ｂ−１）、（ｃ−１）の場合、伝送方式決定手段４２２が伝送方式を空間ダイバーシチＳＤに固定する範囲は、実線矢印で示された範囲である。また、第1の送受信装置１００から第２の送受信装置４００への通信の伝送方式が、空間ダイバーシチＳＤに固定される範囲は、破線矢印で示された範囲である。なお、図９の（ｂ−１）、（ｃ−１）の点線矢印で示された範囲は、通信開始直後に空間ダイバーシチＳＤとされる範囲である。【００８７】
また、伝送方式決定手段４２２は、最初のユーザデータの通信開始から伝送周期データの数を数え、該数えた通信データの数が所定の数になるまで、伝送方式を空間ダイバーシチＳＤに固定してもよい。
図９の（ｂ−３）は、前記予め定めた数が２の場合である。１番目の伝送周期データは、予め決められた通信開始直後の伝送方式である空間ダイバーシチＳＤで通信される。該伝送方式での通信は、図９の（ｂ−３）の点線矢印で示された範囲である。【００８８】
伝送方式決定手段４２２は、最初のユーザデータである２番目の伝送周期データが入力されると、伝送周期データの数を数え始め、２番目の伝送周期データを１とする。伝送方式決定手段４２２は、伝送周期データの数が予め定めた数２に達していないので、伝送方式を空間ダイバーシチＳＤに固定する。該固定に基づき、３番目の伝送周期データは、伝送方式を空間ダイバーシチＳＤで通信される。【００８９】
３番目の伝送周期データが入力されると、伝送方式決定手段４２２の数える伝送周期データの数は、予め定めた数である２となる。よって、伝送方式決定手段４２２は、以降の伝送周期データについて伝送方式を前記動的決定により決定する。該決定に基づき、第1の送受信装置１００と第２の送受信装置４００は、次の前記同期タイミングで伝送方式を該決定された伝送方式に切り替える。【００９０】
これにより、伝送方式決定手段４２２が伝送方式を空間ダイバーシチＳＤに固定する範囲は、図９の（ｂ−３）の実線矢印で示された範囲である。また、第1の送受信装置１００と第２の送受信装置４００との通信の伝送方式が、空間ダイバーシチＳＤに固定される範囲は、図９の（ｂ−３）の破線矢印で示された範囲である。
同様に、図９の（ｂ−２）は、前記予め定めた数が１の場合である。【００９１】
次に動作について説明する。図１０は、本実施形態の動作を示すフロー図である。
本実施形態の動作と第１の実施形態の動作と比較すると、Ｓ３０４の判定方法が異なる。しかし、他の動作については第１の実施形態と同じであるので、第１の実施形態と同じ動作の説明は省略する。
本実施形態では、制御部４２１のデータ判定手段４２３は、該入力されたデータが通信開始後の最初のユーザデータであるか否かを判定する（Ｓ３０４）。そして、伝送方式決定手段４２２は、最初のユーザデータである場合は、伝送方式を空間ダイバーシチＳＤに固定し（Ｓ１０５）、最初のユーザデータでない場合は、伝送方式を前記動的決定により決定する（Ｓ１０６）。【００９２】
一般的な通信において、制御データの通信は短時間で完了し、予め定めた通信開始直後の伝送方式で通信が完了するため、伝送方式を判断する必要がないことがある。本実施形態によれば、送受信装置は、第２の実施形態のように制御データに基づいて伝送方式を空間ダイバーシチＳＤに固定せず、ユーザデータのみに基づいて伝送方式を空間ダイバーシチＳＤに固定するので、送受信装置の回路やプログラムを簡易化することができる。【００９３】
（第４の実施形態）
第１の実施形態である送受信装置は伝送方式を通信開始から受信完了するまで空間ダイバーシチＳＤに固定するが、本実施形態である送受信装置は、最初の制御データの通信開始から一定の時間が経過するまで、空間ダイバーシチＳＤに固定する。
図１１は、本実施形態の第１の送受信装置１００と第２の送受信装置５００の構成を示す概略的ブロック図である。本実施形態と第１の実施形態を比較すると、制御部５２１が異なる。しかし、構成要素が持つ機能は第１の実施形態と同じであるので、第１の実施形態と同じ機能の説明は省略する。【００９４】
制御部５２１は、時間判定手段５２３と伝送方式決定手段５２２を有し、通信時間に応じて伝送方式を決定する。【００９５】
時間判定手段５２３は、通信開始から所定の時間ΔＴが経過したか否かを判定し、伝送方式決定手段５２２は、通信開始からΔＴが経過するまで、伝送方式を空間ダイバーシチＳＤに固定する。そして、伝送方式決定手段５２２は、通信開始からΔＴが経過した場合は、伝送方式を前記動的決定により決定する。【００９６】
制御部５２１は、伝送方式決定手段５２２が前記固定又は決定した伝送方式情報を送信部２１１とへ出力する。また、制御部５２１は、記憶部２４１が記憶している所定の伝送周期に基づいた前記同期タイミングで、前記伝送方式を伝送方式切替手段５３２へ出力する。ただし、制御部５２１は、通信開始直後の伝送方式情報を空間ダイバーシチＳＤとする。
また、制御部５２１は、受信部２３１から入力されたユーザデータをその他第２の送受信装置５００が有する周辺回路に出力し、また、周辺回路から入力されたユーザデータと制御データを送信部２１１へ出力する。【００９７】
以下、通信データと通信方式の関係を具体的に説明する。図１２は、本実施形態の伝送方式を切り替える方法を説明する概要図である。また、図１２において横軸は時間である。図１２（ａ）〜（ｃ）に示すデータは、図３（ａ）〜（ｃ）に示すデータと同じであるので、説明は省略する。【００９８】
伝送方式決定手段５２２が、伝送方式を空間ダイバーシチＳＤに固定する範囲と、第1の送受信装置１００から第２の送受信装置５００への通信の伝送方式が空間ダイバーシチＳＤに固定される範囲について説明をする。
図１２の（ａ−１）において、１番目の伝送周期データは、予め決められた通信開始直後の伝送方式である空間ダイバーシチＳＤで通信される。該伝送方式での通信は、図３の（ａ−１）の点線矢印で示された範囲である。
１番目の伝送周期データを受信開始後、時間判定手段５２３は時間の測定を開始する。２番目と３番目の伝送周期データを受信する際には、１番目の伝送周期データの受信開始後ΔＴを経過していない。よって、伝送方式決定手段５２２は、伝送方式を空間ダイバーシチＳＤに固定する。該固定に基づき、２番目と３番目の伝送周期データは、伝送方式を空間ダイバーシチＳＤで通信される。【００９９】
そして、４番目の伝送周期データを受信する前に、１番目の伝送周期データの受信開始後ΔＴが経過している。よって、伝送方式決定手段５２２は、１番目の伝送周期データの受信開始後ΔＴが経過後の伝送方式を前記動的決定により決定する。該決定に基づき、第1の送受信装置１００と第２の送受信装置５００は、次の前記同期タイミングで伝送方式を該決定された伝送方式に切り替える。【０１００】
これより、伝送方式決定手段５２２が伝送方式を空間ダイバーシチＳＤに固定する範囲は、図１２の（ａ−１）の実線矢印で示された範囲である。また、第1の送受信装置１００から第２の送受信装置５００への通信の伝送方式が、空間ダイバーシチＳＤに固定される範囲は、図１２の（ａ−１）の破線矢印で示された範囲である。
同様に、図１２の（ｂ−１）、（ｃ−１）の場合、伝送方式決定手段５２２が伝送方式を空間ダイバーシチＳＤに固定する範囲は、実線矢印で示された範囲である。また、第1の送受信装置１００から第２の送受信装置５００への通信の伝送方式が、空間ダイバーシチＳＤに固定される範囲は、破線矢印で示された範囲である。【０１０１】
また、伝送方式決定手段５２２は、最初のユーザデータの受信開始から所定の時間ΔＴを経過するまで伝送方式を空間ダイバーシチＳＤに固定することもできる。
図１２の（ｂ−２）において、１番目の伝送周期データは、予め決められた通信開始直後の伝送方式である空間ダイバーシチＳＤで通信される。該伝送方式での通信は、図１２の（ｂ−２）の点線矢印で示された範囲である。【０１０２】
１番目の伝送周期データは制御データである。よって、伝送方式決定手段５２２は、伝送方式決定手段５２２は伝送方式を前記動的決定により決定する。該決定に基づき、第1の送受信装置１００と第２の送受信装置５００は、次の前記同期タイミングで伝送方式を該決定された伝送方式に切り替える。【０１０３】
そして、２番目の伝送周期データはユーザデータであり、最初のユーザデータである。よって、伝送方式決定手段５２２は時間の測定を開始する。
３番目と４番目の伝送周期データを受信する際には、最初のユーザデータの受信開始後ΔＴを経過していない。よって、伝送方式決定手段５２２は、伝送方式を空間ダイバーシチＳＤに固定する。該固定に基づき、３番目と４番目の伝送周期データは、伝送方式を空間ダイバーシチＳＤで通信される。【０１０４】
そして、５番目の伝送周期データを受信する前に、最初のユーザデータの受信開始後ΔＴが経過している。よって、伝送方式決定手段５２２は、最初のユーザデータの受信開始後ΔＴが経過後の伝送方式について前記動的決定により決定する。該決定に基づき、第1の送受信装置１００と第２の送受信装置５００は、次の前記同期タイミングで伝送方式を該決定された伝送方式に切り替える。【０１０５】
これにより、伝送方式決定手段５２２が伝送方式を空間ダイバーシチＳＤに固定する範囲は、図１２の（ｂ−２）の実線矢印で示された範囲である。また、第1の送受信装置１００から第２の送受信装置５００への通信の伝送方式が、空間ダイバーシチＳＤに固定される範囲は、図１２の（ｂ−２）の破線矢印で示された範囲である。
同様に、図１２の（ｃ−２）の場合、伝送方式決定手段５２２が伝送方式を空間ダイバーシチＳＤに固定する範囲は、実線矢印で示された範囲である。また、第1の送受信装置１００から第２の送受信装置５００への通信の伝送方式が、空間ダイバーシチＳＤに固定される範囲は、破線矢印で示された範囲である。なお、図１２の（ｃ−２）の点線矢印で示された範囲は、通信開始直後に空間ダイバーシチＳＤとされる範囲である。【０１０６】
次に動作について説明する。図１３は、本実施形態の動作を示すフロー図である。
本実施形態の動作と第１の実施形態の動作と比較すると、Ｓ４０４の判定方法が異なる。しかし、他の動作については第１の実施形態と同じであるので、第１の実施形態と同じ動作の説明は省略する。
本実施形態では、制御部５２１の時間判定手段５２３は、１番目の伝送周期データを受信開始後一定の時間ΔＴが経過したか否かを判定する（Ｓ４０４）。そして、伝送方式決定手段５２２は、通信開始からΔＴが経過するまで、伝送方式を空間ダイバーシチＳＤに固定し（Ｓ１０５）、通信開始からΔＴが経過した場合は、伝送方式を前記動的決定により決定する（Ｓ１０６）。【０１０７】
本実施形態によれば、送受信装置は、通信開始から所定の時間が経過するまで、伝送方式を品質重視の伝送方式である空間ダイバーシチＳＤに固定して通信を行う。
これにより、送受信装置は、通信品質の悪い方式を誤って選択してしまうことがなく、該時間の通信を品質重視の方式で行うので、通信の切断を防止できる。また、該時間の通信状況に基づき該時間経過後の伝送方式を適切に判断できるようになるので、該期間経過後の通信でも通信の切断を防止し、伝送容量の低下を防ぐことができる。【０１０８】
（第５の実施形態）
第１の実施形態では、第２の送受信装置２００が伝送方式決定部を備えていたが、本実施形態では、第1の送受信装置６００が伝送方式決定部を備える。以下、図面を参照しながら本実施形態について詳しく説明する。図１４は本発明の実施に適用可能な第１の送受信装置６００から第２の送受信装置７００へのデータ通信を行う無線送受信システムに係る第５の実施形態の概要を示すブロック図である。
また、本実施形態では、送受信装置は伝送方式を最初の制御データの通信開始から受信完了するまで空間ダイバーシチＳＤに固定する。なお、通信開始直後の伝送方式は、空間ダイバーシチＳＤと決められているとする。【０１０９】
まず、第１の送受信装置６００について説明をする。本実施形態と第１の実施形態を比較すると、制御部６２１が異なる。しかし、構成要素が持つ機能は第１の実施形態と同じであるので、第１の実施形態と同じ機能の説明は省略する。【０１１０】
制御部６２１は、受信部１３１から入力されたデータから後述する伝送方式判定情報を特定し、制御部６２１が有する伝送方式決定手段６２２は、入力された第２の送受信装置７００が送信した伝送方式判定情報に基づき伝送方式を決定する。
伝送方式決定手段６２２は、前記伝送方式判定情報が最初の制御データであれば、伝送方式を空間ダイバーシチＳＤに固定する。伝送方式決定手段６２２は、前記伝送方式判定情報が最初の制御データでない場合、伝送方式を空間ダイバーシチＳＤ、空間多重ＳＭ、ビームフォーミングＢＦのいずれかに決定する。
制御部６２１は、伝送方式決定手段６２２が前記固定又は決定した伝送方式情報を送信部１１１とへ出力する。また、制御部６２１は、記憶部１４１が記憶している所定の伝送周期に基づいた前記同期タイミングで、前記伝送方式を伝送方式切替手段１３２へ出力する。ただし、制御部６２１は、通信開始直後の伝送方式情報を空間ダイバーシチＳＤとする。
また、制御部６２１は、受信部１３１から入力されたユーザデータをその他第1の送受信装置６００が有する周辺回路に出力し、また、周辺回路から入力されたユーザデータと制御データを送信部１１１へ出力する。【０１１１】
次に、第２の送受信装置７００について説明をする。本実施形態と第１の実施形態を比較すると、制御部７２１が異なる。しかし、構成要素が持つ機能は第１の実施形態と同じであるので、第１の実施形態と同じ機能の説明は省略する。【０１１２】
制御部７２１は、第１の実施形態と同じデータ判定手段２２３を有し、データ判定手段２２３が判定した前記伝送方式判定情報を送信部２１１とへ出力する。該伝送方式判定情報は、制御データとして、送信部２１１とアンテナ部２０１を介し、第1の送受信装置６００へ送信される。また、制御部７２１は、受信部２３１から入力されたデータから、第1の送受信装置６００が決定した伝送方式情報を特定し、伝送方式切替部２３２へ出力する。
また、制御部７２１は、受信部２３１から入力されたユーザデータをその他第２の送受信装置７００が有する周辺回路に出力し、また、周辺回路から入力されたユーザデータと制御データを送信部２１１へ出力する。【０１１３】
次に動作について説明する。図１５は、本実施形態の動作を示すフロー図である。
まず、第１の送受信装置６００は、通信開始直後の伝送方式である空間ダイバーシチＳＤでデータを送信する（Ｓ１０１）。
第２の送受信装置７００は、第１の送受信装置６００より送信された信号をアンテナ部２０１で受信し、受信部２３１へ出力する（Ｓ１０２）。受信部２３１は、通信開始直後の伝送方式である空間ダイバーシチＳＤで受信した受信信号を復調し、該復調した受信データ列をユーザデータと制御データに分離し、制御部７２１へ出力する（Ｓ１０３）。
制御部７２１は、データ判定手段２２３が判定した前記伝送方式判定情報を送信部２１１とへ出力し、送信部２１１は、送信データ列生成手段２１３により、前記伝送方式判定情報をデータ列として生成し、アンテナ２０１を介して、第１の送信装置６００へ送信する（Ｓ５０１）。【０１１４】
次に、第１の送受信装置６００は、第２の送受信装置７００より送信された前記伝送方式判定情報をアンテナ部１０１により受信し、受信部１３１へ出力する。受信部１３１は、該受信した受信信号を復調し、該復調した受信データ列をユーザデータと制御データに分離し、制御部６２１へ出力する（Ｓ５０２）。制御部６２１は、入力された制御データから前記伝送方式判定情報を特定し、該伝送方式判定情報に基づき伝送方式を決定する。
具体的には、制御部６２１が有する伝送方式決定手段６２２は、前記伝送方式判定情報が最初の制御データであるか否かを判断する（Ｓ５０３）。そして、伝送方式決定手段６２２は、第２の送受信装置７００が受信したデータが最初の制御データである場合は、伝送方式を空間ダイバーシチＳＤに固定し（Ｓ５０４）、最初の制御データでない場合は、前記動的決定により伝送方式を決定する（Ｓ５０５）。
制御部６２１は、該決定した伝送方式情報を、送信データとして送信部１１１へ出力し、送信部１１１は、アンテナ部１０１を介し該伝送方式情報を第２の送受信装置７００に送信する（Ｓ５０６）。【０１１５】
第２の送受信装置７００は、第１の送受信装置６００より送信された該伝送方式情報をアンテナ部２０１で受信し、受信部２３１へ出力する。受信部２３１は、初期の伝送方式である空間ダイバーシチＳＤで受信した受信信号を復調し、該復調した受信データ列をユーザデータと制御データに分離し、制御部７２１へ出力する（Ｓ５０７）。制御部７２１は、受信部２３１から入力された制御データに含まれる前記伝送方式情報を特定する（Ｓ５０８）。【０１１６】
一方、第１の送受信装置６００が有する制御部６２１は、記憶部１４１が記憶している伝送周期に基づいた前記同期タイミングで、前記特定した伝送方式情報を送信部１１１へ出力する。送信部１１１の伝送方式切替手段１１２は、制御部１２１から入力された前記伝送方式情報に従い、送信する伝送方式を空間多重ＳＭまたは空間ダイバーシチＳＤまたはビームフォーミングＢＦに切り替える（Ｓ５０９）。
そして、第２の送受信装置７００に含まれる制御部７２１は、記憶部２４１が記憶している伝送周期に基づいた前記同期タイミングで、受信部２３１へステップＳ５０４で固定又はＳ５０５で決定した伝送方式情報を出力する。第２の送受信装置７００が有する受信部２３１は、制御部２２１から入力された前記伝送方式情報に従い、受信する伝送方式を空間多重ＳＭまたは空間ダイバーシチＳＤまたはビームフォーミングＢＦに切り替える（Ｓ５１０）。これより第１の送受信装置６００と第２の送受信装置７００との伝送方式を統一した通信をすることが可能な状態となる。【０１１７】
第１の送受信装置６００が有する送信部１１１は、アンテナ１０１を介し、前記伝送方式情報の伝送方式で第２の送受信装置７００にデータを送信する（Ｓ５１１）。第２の送受信装置７００の受信部２３１は、第1の送受信装置６００からの送信信号をアンテナ２０１を介して、前記伝送方式で受信し、復調する（Ｓ５１２）。【０１１８】
本実施形態では、第１の送受信装置６００が伝送方式決定手段を具備し伝送方式を決定している場合であっても、第１の送受信装置６００は、第２の送受信装置７００に対し、通信開始から制御データを送信するまでの間、伝送方式を品質重視の伝送方式である空間ダイバーシチＳＤに固定して通信を行う。
これにより、送受信装置は、通信品質の悪い方式を誤って選択してしまうことがなく、該期間の通信を品質重視の方式で行うので、通信の切断を防止できる。また、該期間の通信状況に基づき該期間経過後の伝送方式を適切に判断できるようになるので、該期間経過後の通信でも通信の切断を防止し、伝送容量の低下を防ぐことができる。【０１１９】
上記全ての実施形態において、送受信装置は伝送方式を、通信開始から所定の期間、空間ダイバーシチＳＤとするが、本発明はこれに限定されず、通信再開から所定の期間、空間ダイバーシチＳＤとしてもよい。通信再開とは、例えば、移動中に一時的に通信が遮断され、その後通信を再開する場合や、電波の受信品質が低い場所で、一時的に通信ができなくなり、その後通信を再開する場合がある。
これにより、通信再開後についても、品質重視の伝送方式で通信し、高い通信品質により、伝送容量の低下を防ぐ事ができる。通信再開が必要となるのは通信の品質が悪い状況が多いので、特に有効である。【０１２０】
なお、上記全ての実施形態において、第１の送受信装置１００、６００は、複数の移動局装置と通信する基地局装置であり、第２の送受信装置２００、３００、４００、５００、７００は、移動局装置であってもよいし、逆に第１の送受信装置１００、６００が移動局装置であり、第２の送受信装置２００、３００、４００、５００、７００が複数の移動局装置と通信する基地局装置であってもよい。また、単に第１の送受信装置１００、６００と、第２の送受信装置２００、３００、４００、５００、７００とは、１対１で送受信していてもよい。【０１２１】
また、上記全ての実施形態において、送受信装置は、アンテナを２本に限定するものではなく、何本でもよい。さらに、第１の送受信装置と第２の送受信装置のアンテナの本数が同じであるとも限らない。
また、伝送方式決定手段は、一のアンテナで送受信する周波数帯域で伝送方式を決定し、他のアンテナで送受信する周波数帯域と伝送方式が異なってもよい。さらに、伝送方式決定手段は、伝送方式情報を送受信するための制御データを無視して、伝送方式の決定に影響を及ぼさないものとしてもよい。
また、本発明の実施には空間多重ＳＭと空間ダイバーシチＳＤとビームフォーミングＢＦとを切り替えることに限ったものではない。例えば、例えば空間多重ＳＭと空間ダイバーシチＳＤとのように２つの伝送方式を切り替えても良いし、４つ以上の伝送方式を切り替えてもよい。【０１２２】
さらに、図１における送信部１１１、制御部１２１、受信部１３１、送信部２１１、制御部２２１、受信部２３１、および図５における送信部１１１、制御部１２１、受信部１３１、送信部２１１、制御部３２１、受信部２３１、図８における送信部１１１、制御部１２１、受信部１３１、送信部２１１、制御部４２１、受信部２３１、図９における送信部１１１、制御部１２１、受信部１３１、送信部２１１、制御部５２１、受信部２３１、図１２における送信部１１１、制御部６２１、受信部１３１、送信部２１１、制御部７２１、受信部２３１、の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。【０１２３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。【０１２４】
以上、この発明の実施形態について図面を参照して詳述してきたが、具体的な構成はこの実施形態に限られるものでなく、この発明の要旨を逸脱しない範囲の設計変更等も含まれる。
【産業上の利用可能性】
【０１２５】
本発明は、移動体通信に係る移動局装置、無線通信システム、それと類似の技術において用いて好適であり、通信の切断を防止し、伝送容量の低下を防ぐことができる。
【図１】
2009091028.tif 000003
【図２】
2009091028.tif 000004
【図３】
2009091028.tif 000005
【図４】
2009091028.tif 000006
【図５】
2009091028.tif 000007
【図６】
2009091028.tif 000008
【図７】
2009091028.tif 000009
【図８】
2009091028.tif 000010
【図９】
2009091028.tif 000011
【図１０】
2009091028.tif 000012
【図１１】
2009091028.tif 000013
【図１２】
2009091028.tif 000014
【図１３】
2009091028.tif 000015
【図１４】
2009091028.tif 000016
【図１５】
2009091028.tif 000017
【国際調査報告】
2009091028.tif 000018
2009091028.tif 000019
2009091028.tif 000020
2009091028.tif 000021
2009091028.tif 000022
2009091028.tif 000023
2009091028.tif 000024